(57)【要約】【課題】肌を伝って流れる体液を脚周りに拡散させにくくし、脚周りからの漏れを防止する。【解決手段】表面シート３は、幅方向中央領域２０に、長手方向に延びる中央畝部１０と中央溝部１１とが、幅方向に交互に複数形成されるとともに、その両側の両側領域２１に、幅方向内側に向かうに従って後側に傾斜する方向に延びる両側畝部１２と両側溝部１３とが、これと直交する方向に交互に複数形成されている。前記両側畝部１２は、幅方向外側に向かうに従って徐々に肌側への突出高さが高くなるように形成するのが好ましい。【選択図】図４
2020031898.tif 000002
【特許請求の範囲】
【請求項１】
表面シートと防漏シートとの間に吸収体が介在された吸収性物品において、
前記表面シートは、幅方向中央領域に、長手方向に延びる中央畝部と中央溝部とが、幅方向に交互に複数形成されるとともに、その両側の両側領域に、幅方向内側に向かうに従って後側に傾斜する方向に延びる両側畝部と両側溝部とが、これと直交する方向に交互に複数形成されていることを特徴とする吸収性物品。
【請求項２】
前記両側畝部は、幅方向外側に向かうに従って徐々に肌側への突出高さが高くなるように形成されている請求項１記載の吸収性物品。
【請求項３】
前記中央溝部及び両側溝部にはそれぞれ、溝部の底部に沿って間隔をあけて多数の開孔が設けられている請求項１、２いずれかに記載の吸収性物品。
【請求項４】
前記開孔は、溝部が延びる方向に沿って隣り合う開孔同士の間隔より、隣り合う溝部間の開孔同士の間隔の方が大きく形成されている請求項３記載の吸収性物品。
【請求項５】
前記両側溝部に形成された開孔より、前記中央溝部に形成された開孔の方が大きな面積で形成されている請求項３、４いずれかに記載の吸収性物品。
【請求項６】
前記表面シートの非肌側にセカンドシートが配設され、前記セカンドシートが前記表面シートとともに畝溝状に形成されている請求項１〜５いずれかに記載の吸収性物品。
【請求項７】
前記セカンドシートは、肌側から非肌側に向かうに従って繊維密度が高くなるように形成されている請求項６記載の吸収性物品。
【発明の詳細な説明】
【技術分野】
【０００１】
本発明は、主には使い捨てパッド、使い捨ておむつ、生理用ナプキン、おりものシート等の吸収性物品に係り、特に表面シートの幅方向中央領域と両側領域とにそれぞれ、適宜の方向に延びる複数条の畝部と溝部が形成された吸収性物品に関する。
【背景技術】
【０００２】
従来より、上記吸収性物品においては、軟便や尿などの体液が表面シート上を流動して周囲に拡散し、漏れが発生しやすいなどの問題があった。また、前記体液が拡散し、肌と長時間接触すると、皮膚炎やカブレを起こす原因となるなどの問題があった。
【０００３】
この種の吸収性物品にも幾多の改良が重ねられ、軟便の吸収性に優れたものが開発されている。例えば、下記特許文献１では、肌側から表面シート、透過シート、吸収要素を順に備え、前記表面シートの軟便透過速度Ｓ１、前記透過シートの軟便透過速度Ｓ２、及び前記吸収要素の表層の軟便透過速度Ｓ３が、Ｓ１＞Ｓ２＞Ｓ３の関係にある吸収性物品が開示されている。
【０００４】
また、下記特許文献２では、第一の面に長手方向に延びる複数条の畝部と溝部が形成されている不織布シートであって、該不織布シートは、第一の面側の第一繊維層及び第一の面とは反対の第二の面側の第二繊維層からなり、第二繊維層は潜在捲縮性繊維を含み、第一繊維層は前記潜在捲縮性繊維の捲縮開始温度では捲縮を発現しない熱融着性繊維を含み、該不織布シートを第一の面側から平面視したときに畝部外縁が蛇行を繰り返した形状となっている不織布シートが開示されている。
【先行技術文献】
【特許文献】
【０００５】
【特許文献１】特開２００６−１４１６４７号公報
【特許文献２】特開２０１１−２０８２９７号公報
【発明の概要】
【発明が解決しようとする課題】
【０００６】
しかしながら、上記特許文献１記載の吸収性物品では、仰向け寝姿勢において、軟便が肛門から肌を伝って太ももの付け根の脚周りに流動しやすいとともに、脚周りに溜まった軟便が吸収体に吸収しきれずにギャザーを越えて脚周りからの漏れが発生しやすいという問題があった。また、上記特許文献２記載のものでは、畝部と溝部が延びる方向に沿って軟便が拡散しやすくなるが、肛門から肌を伝って脚周りに流動する軟便を捕捉しにくいという問題があった。
【０００７】
そこで本発明の主たる課題は、肌を伝って流れる体液を脚周りに拡散させにくくし、脚周りからの漏れを防止した吸収性物品を提供することにある。
【課題を解決するための手段】
【０００８】
上記課題を解決するために請求項１に係る本発明として、表面シートと防漏シートとの間に吸収体が介在された吸収性物品において、
前記表面シートは、幅方向中央領域に、長手方向に延びる中央畝部と中央溝部とが、幅方向に交互に複数形成されるとともに、その両側の両側領域に、幅方向内側に向かうに従って後側に傾斜する方向に延びる両側畝部と両側溝部とが、これと直交する方向に交互に複数形成されていることを特徴とする吸収性物品が提供される。
【０００９】
上記請求項１記載の発明では、前記表面シートの幅方向中央領域には、長手方向に延びる中央畝部と中央溝部とが形成され、その両側の両側領域には、幅方向内側に向かうに従って後側に傾斜する方向に延びる両側畝部と両側溝部とが形成されている。これによって、幅方向中央領域では、畝溝が延びる長手方向に沿って体液が拡散されるとともに、脚周りに当接する両側領域では、肌を伝って脚周りに流れた体液が、畝溝が延びる方向の幅方向中央に向けて拡散できるようになっている。このため、肌を伝って流れる体液が脚周りに拡散しにくく、脚周りからの漏れが防止できる。
【００１０】
請求項２に係る本発明として、前記両側畝部は、幅方向外側に向かうに従って徐々に肌側への突出高さが高くなるように形成されている請求項１記載の吸収性物品が提供される。
【００１１】
上記請求項２記載の発明では、前記両側畝部が、幅方向外側に向かうに従って徐々に肌側に高く突出するように形成されているため、この両側畝部が障壁となって肌を伝って流れる体液を塞き止めやすくなり、脚周りからの漏れがより確実に防止できるようになる。
【００１２】
請求項３に係る本発明として、前記中央溝部及び両側溝部にはそれぞれ、溝部の底部に沿って間隔をあけて多数の開孔が設けられている請求項１、２いずれかに記載の吸収性物品が提供される。
【００１３】
上記請求項３記載の発明では、前記中央溝部及び両側溝部の底部に多数の開孔を設けることにより、この開孔を通って体液が表面シートを下層側に素早く通過できるようになる。
【００１４】
請求項４に係る本発明として、前記開孔は、溝部が延びる方向に沿って隣り合う開孔同士の間隔より、隣り合う溝部間の開孔同士の間隔の方が大きく形成されている請求項３記載の吸収性物品が提供される。
【００１５】
上記請求項４記載の発明では、開孔同士の間隔を、溝部が延びる方向の間隔より、隣り合う溝部間の間隔の方が大きくしているため、体液がより一層溝部に沿って拡散しやすくなり、脚周りからの漏れがより確実に防止できるようになる。
【００１６】
請求項５に係る本発明として、前記両側溝部に形成された開孔より、前記中央溝部に形成された開孔の方が大きな面積で形成されている請求項３、４いずれかに記載の吸収性物品が提供される。
【００１７】
上記請求項５記載の発明では、幅方向中央領域に集約された体液が表面に溜まらないように、前記中央溝部に形成された開孔を相対的に大きな面積で形成することによって、下層側に体液を通過させやすくしている。
【００１８】
請求項６に係る本発明として、前記表面シートの非肌側にセカンドシートが配設され、前記セカンドシートが前記表面シートとともに畝溝状に形成されている請求項１〜５いずれかに記載の吸収性物品が提供される。
【００１９】
上記請求項６記載の発明では、前記表面シートの非肌側にセカンドシートを配設し、このセカンドシートを表面シートとともに畝溝状に形成することによって、凹凸形状がしっかりと保形できるようになるとともに、表面シートを透過した体液が非肌側に移行しやすくなる。
【００２０】
請求項７に係る本発明として、前記セカンドシートは、肌側から非肌側に向かうに従って繊維密度が高くなるように形成されている請求項６記載の吸収性物品が提供される。
【００２１】
上記請求項７記載の発明では、前記セカンドシートの厚み方向の繊維密度を、肌側から非肌側に向けて高くすることによって、液体中に固形物が混入している軟便などがセカンドシートを肌側から非肌側に通過する過程で、固形物と水分を分離し、セカンドシートに固形物が捕捉され、吸収体に水分が吸収されるようにしている。
【発明の効果】
【００２２】
以上詳説のとおり本発明によれば、肌を伝って流れる体液が脚周りに拡散しにくくなり、脚周りからの漏れが防止できるようになる。
【図面の簡単な説明】
【００２３】
【図１】本発明に係る使い捨てパッド１の一部破断展開図である。
【図２】図１のII−II線矢視図である。
【図３】図１のIII−III線矢視図である。
【図４】表面シート３の平面図である。
【図５】図４のV−V線矢視図である。
【図６】両側畝部１２を示す、(A)は左側面図、(B)は長手方向断面図（図４のVI−VI線矢視図）、(C)は右側面図である。
【図７】開孔１４を示す平面図である。
【図８】変形例に係る使い捨てパッド１の断面図（図１のII−II線矢視図）である。
【図９】変形例に係る使い捨てパッド１の断面図（図１のII−II線矢視図）である。
【図１０】表面シート３の製造装置を示す側面図である。
【発明を実施するための形態】
【００２４】
以下、本発明の実施の形態について図面を参照しながら詳述する。
【００２５】
〔使い捨てパッドの基本構造の一例〕
本発明に係る吸収性物品の一例として、使い捨てパッド１を例に挙げ以下に詳細に説明する。前記使い捨てパッド１は、パンツタイプ若しくはテープタイプの使い捨ておむつのインナーとして用いられるものである。なお、本発明は、使い捨てパッドに限らず、使い捨ておむつ、生理用ナプキンなど各種の吸収性物品に適用できることはいうまでもない。
【００２６】
本発明に係る使い捨てパッド１は、図１〜図３に示されるように、ポリエチレンシートなどからなる防漏シート２と、肌当接面をなし、尿などを速やかに透過させる表面シート３と、これら両シート２、３間に介装された吸収体４と、使い捨てパッド１の最外面（非肌当接面）を覆う外装シート５と、前記吸収体４の略側縁部を起立基端とし、かつ少なくとも着用者の排尿口部Ｈ及び肛門部Ｋを含む前後方向の所定の区間内において肌側に突出して設けられた左右一対の立体ギャザーＢＳ、ＢＳを形成するギャザーシート６、６とから主に構成され、かつ吸収体４の周囲においては、その上下端縁部では表面シート３、セカンドシート７及び外装シート５の外縁部がホットメルトなどの接着剤やヒートシール、超音波シール等の接合手段によって接合され、またその両側縁部では吸収体４よりも側方に延出しているギャザーシート６及び外装シート５がホットメルトなどの接着剤やヒートシール、超音波シール等の接合手段によって接合されている。前記吸収体４は、図示例のようにクレープ紙又は不織布などからなる被包シート８によって囲繞するのが好ましいが、前記被包シート８は設けなくてもよい。
【００２７】
前記防漏シート２は、ポリエチレン等の少なくとも遮水性を有するシート材が用いられるが、近年ではムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記防漏シート２としては、プラスチックフィルムと不織布とを積層させたポリラミ不織布を用いてもよい。
【００２８】
前記防漏シート２と表面シート３との間に介在される吸収体４は、たとえば綿状パルプと高吸水性ポリマーとにより構成されている。前記高吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４の目付は、２５０〜１２００ｇ／ｍ２、好ましくは４００〜６００ｇ／ｍ２とするのがよい。
【００２９】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３０】
前記吸収体４は、図示例のように、形状保持および拡散性向上のために、前記吸収体４の少なくとも肌側面及び非肌側面を、クレープ紙又は不織布などからなる被包シート８で覆うのが好ましい。吸収体４を覆う被包シート８を設ける場合には、結果的に表面シート３と吸収体４との間に被包シート８が介在することになり、前記被包シート８がクレープ紙からなる場合には、吸収性に優れる前記被包シート８によって体液を速やかに拡散させるとともに、吸収体４に吸収した体液の逆戻りを防止するようになる。
【００３１】
前記外装シート５は、防漏シート２を覆って使い捨てパッド１の外面を布のような外観、肌触りとするものである。外装シート５としては、不織布で形成するのが好ましい。素材繊維は、ポリエチレンまたはポリプロピレン等のオレフィン系、ポリエステル系、ポリアミド系等の合成繊維の他、レーヨンやキュプラ等の再生繊維、綿等の天然繊維を用いることができ、加工法は、スパンレース法、スパンボンド法、サーマルボンド法、エアスルー法、ニードルパンチ法等を用いて製作することができる。但し、肌触り及び強度を両立できる点でスパンボンド不織布やＳＭＳ不織布、ＳＭＭＳ不織布等の長繊維不織布が好ましい。
不織布は一枚で使用する他、複数枚を重ねて使用することもでき、複数枚を重ねて使用する場合は、不織布相互をホットメルト等の接着剤を介して固定するのが好ましい。また、不織布を用いる場合は、その繊維目付けは８〜５０ｇ／ｍ２、特に１０〜３０ｇ／ｍ２が好ましい。
【００３２】
前記外装シート５の非肌側面（外面）に、１または複数条の仮止め層（図示せず）を形成することにより、身体への装着時に使い捨てパッド１を下着や使い捨ておむつ等に固定するようにしてもよい。前記仮止め層としては、機械接合式のフック材を用いてもよいし、粘着剤を用いてもよい。前記仮止め層は必要に応じて設けられ、特段設けなくてもよい。
【００３３】
一方、前記表面シート３の幅寸法は、図示例では、図２及び図３の横断面図に示されるように、吸収体４の幅寸法よりも若干長めとされ、吸収体４を覆うだけに止まり、それより外方側は前記表面シート３とは別のギャザーシート６、具体的には体液が浸透するのを防止する、あるいは肌触り感を高めるなどの目的に応じて、適宜の撥水処理または親水処理を施した不織布素材を用いて構成されたギャザーシート６が配設されている。
【００３４】
かかるギャザーシート６としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を８〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３５】
前記ギャザーシート６の内方側部分はほぼ二重に折り返されるとともに、この二重シート内部に、その高さ方向中間部に１又は複数本の、図示例では２本の糸状弾性伸縮部材９、９が両端または長手方向の適宜の位置が固定された状態で配設されている。この二重シート部分は前後端部では図３に示されるように、外側に１回折り返して積層された状態で吸収体４側に接着されることによって、少なくとも着用者の排尿口部Ｈ及び肛門部Ｋを含む前後方向の所定の区間内において図２に示されるように、肌側に起立する立体ギャザーＢＳ、ＢＳが左右対で形成されている。
【００３６】
〔表面シート〕
前記表面シート３は、有孔または無孔の不織布や多孔性プラスチックシートなどが用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３７】
また、前記表面シート３として、伸縮性不織布を用いるのが好ましい。前記伸縮性不織布は、弾性伸縮部材の付加なくして不織布自体が弾性伸縮するものを意味し、例えばエアスルー法又はサーマルボンド法によって製造された不織布、捲縮繊維を用いた不織布、スチレン系やウレタン系に代表されるエラストマーからなる不織布などが好適とされる。表面シート３として伸縮性不織布を用いることにより、後述するように、表面シート３を畝溝状に形成しやすくなる。
【００３８】
前記表面シート３は、図４及び図５に示されるように、幅方向中央領域２０に、長手方向に延びる中央畝部１０、１０…と中央溝部１１、１１…とが、幅方向に交互に複数形成されるとともに、その両側の両側領域２１、２１にそれぞれ、幅方向内側に向かうに従って後側に傾斜する方向に延びる両側畝部１２、１２…と両側溝部１３、１３…とが、これと直交する方向に交互に複数形成されている。前記畝部１０、１２はそれぞれ、少なくとも表面シート３が、下層側の部材との間に空間部を形成しながら肌側に向けてドーム状に膨出する断面形状で形成された部位であり、前記溝部１１、１３はそれぞれ、少なくとも前記表面シート３が非肌側に向けてドーム状に膨出する断面形状で形成された部位である。前記中央畝部１０と中央溝部１１とからなる畝溝構造及び前記両側畝部１２と両側溝部１３とからなる畝溝構造ではそれぞれ、これらの畝溝構造が延びる方向と直交する表面シート３の断面視で、表面シート３が凹凸を繰り返す波状に形成されている。
【００３９】
前記幅方向中央領域２０は、表面シート３の幅方向中央部に長手方向の全長に亘って形成された領域であり、図１に示されるように、左右のギャザーシート６、６間の表面シート３が表面に露出して肌面に直接接触する幅内に設けられ、装着時に着用者の股間部を前後方向に延びる領域である。前記両側領域２１は、前記幅方向中央領域２０の側端から表面シート３の幅方向端縁まで幅内を長手方向の全長に亘って形成された領域であり、装着時に着用者の脚周りに当接する部位を含む領域である。
【００４０】
前記中央畝部１０及び中央溝部１１による畝溝構造は、前記幅方向中央領域２０の全体に形成するのが好ましい。この場合、前記中央畝部１０及び中央溝部１１が形成された領域を前記幅方向中央領域２０と定義することも可能である。一方、前記中央畝部１０及び中央溝部１１は、幅方向中央領域２０の一部に形成することも可能である。具体的には、長手方向の全長に亘って形成するのではなく、少なくとも排尿口部Ｈ及び肛門部Ｋを含む長手方向の中間部に形成し、それより前側及び後側には畝溝構造を設けないようにしてもよい。
【００４１】
前記両側畝部１２及び両側溝部１３による畝溝構造は、前記両側領域２１のうち、長手方向の一部に形成するのが好ましい。具体的には、長手方向の中間部であって、左右の立体ギャザーＢＳ、ＢＳが肌面に向けて起立する長手区間、すなわち着用者の脚周りに当接する長手区間であり、少なくとも着用者の肛門部Ｋを含む長手区間に形成するのが好ましい。
【００４２】
上記の使い捨てパッド１を装着したときの体液の流れについて説明すると、図４に示されるように、前記幅方向中央領域２０では、前記中央畝部１０及び中央溝部１１が延びる長手方向に沿って体液が拡散されるとともに、前記両側領域２１が脚周りに当接する部位では、肌を伝って脚周りに流れた体液が、前記両側畝部１２で塞き止められ、前記両側溝部１３に流れ込むとともに、両側溝部１３が延びる方向の幅方向中央に向けて拡散するようになる。つまり、仰向け寝姿勢においては、排尿口部Ｈから排出された尿や肛門部Ｋから排出された軟便などが、肌を伝って後方の斜め側方に向けて流れ、特に臀部寄りの脚周りから漏れる問題がしばしば生じていたが、本使い捨てパッド１では、この肌を伝って後方の斜め側方に向けて流れる尿や軟便を、この流れ方向とほぼ直交する方向に延びる両側畝部１２で塞き止めることができるとともに、この塞き止めた尿や軟便を両側溝部１３に沿って幅方向中央領域２０に向けて拡散させることが可能となる。このため、肌を伝って流れる体液が脚周りに拡散しにくく、脚周りからの漏れが防止できる。
【００４３】
前記中央畝部１０及び中央溝部１１による畝溝構造において、隣り合う中央畝部１０、１０の頂部同士の間隔（ピッチＰ１）は、２〜３０ｍｍ、好ましくは３〜１５ｍｍとするのがよい。
【００４４】
前記中央畝部１０は、幅方向中央領域２０に３〜１０本形成するのが好ましい。前記中央畝部１０及び中央溝部１１はそれぞれ、全長に亘ってほぼ等幅で且つほぼ同じ高さで形成されている。前記両側溝部１３を通って幅方向内側に流れた体液が幅方向中央領域２０に流れ込みやすいように、前記両側畝部１２及び両側溝部１３が接続する幅方向両側には、前記中央溝部１１を配置するのが好ましい。
【００４５】
前記中央畝部１０及び両側畝部１２の突出高さは、１〜５ｍｍ、好ましくは２〜３ｍｍとするのがよい。前記突出高さとは、各溝部１１、１３の底部から各畝部１０、１２の頂部までの高さである。前記中央畝部１０の突出高さと前記両側畝部１２の突出高さとは、ほぼ同等に形成してもよいし、異なる高さで形成してもよい。好ましくは、両側畝部１２の突出高さの方が、中央畝部１０の突出高さより高くするのがよい。これにより、前記両側畝部１２の先端が肌面に密着して肌を伝って流れる体液を捕捉しやすくなるとともに、幅方向中央領域２０において、体液が中央畝部１０を越えて隣接する中央溝部１１に拡散しやすくなり、特定の中央溝部１１を長手方向に沿って体液が拡散するのが抑制される。
【００４６】
前記両側畝部１２及び両側溝部１３による畝溝構造において、隣り合う両側畝部１２、１２の頂部同士の間隔（ピッチＰ２）は、２〜２０ｍｍ、好ましくは３〜１０ｍｍである。このピッチＰ２は、前記幅方向中央領域２０に形成される畝溝構造のピッチＰ１と同等としてもよいし、異なるようにしてもよい。好ましくは、両側領域２１におけるピッチＰ２の方が幅方向中央領域２０におけるピッチＰ１より小さくするのがよい。これにより、幅方向中央領域２０では、より多くの体液を長手方向に沿って拡散させることができるとともに、両側領域２１では、細かなピッチによってより確実に肌を伝って流れる体液を両側畝部１２で捕捉することができるようになる。このときのピッチの割合としては、Ｐ１／Ｐ２が１．２〜２程度とするのが好ましい。
【００４７】
前記両側畝部１２及び両側溝部１３が延びる方向は、使い捨てパッド１の長手方向線（長手方向中心線ＣＬと平行する線）との成す角αが２５〜８０°、好ましくは４０〜７５°とするのがよい。この角度範囲で形成することにより、着用者が仰向け寝姿勢において、幅方向中央部から外側の斜め後方に向けて肌を伝って流れる体液を、より確実に捕捉することができるようになる。
【００４８】
前記両側畝部１２及び両側溝部１３は、図示例のように、傾斜する直線状に形成するのが好ましいが、長手方向の前側又は後側に膨出する曲線状に形成してもよい。
【００４９】
前記両側畝部１２は、図６に示されるように、幅方向外側に向かうに従って徐々に肌側への突出高さが高くなるように形成するのが好ましい。すなわち、表面シート３の高さが、幅方向外側に向かうに従って徐々に肌側に高くなるように形成するのが好ましい。これによって、幅方向外側の脚周りに近い部位の方が肌面との密着性が高まり、両側畝部１２が障壁となって肌を伝って流れる体液を塞き止めやすくなり、脚周りからの漏れがより確実に防止できるようになる。突出高さの比としては、幅方向内側端の高さをｈ１、幅方向外側端の高さをｈ２とすると、ｈ１／ｈ２が０．２〜０．８、好ましくは０．５〜０．７とするのがよい。
【００５０】
前記両側畝部１２の突出高さを幅方向外側に向けて徐々に高く形成するには、両側畝部１２を形成する際のロール（図１０に示されるロール３２、３３）の周面に設けられた凸部及び凹部の高さを幅方向外側に向けて徐々に大きくすることにより成すことができる。
【００５１】
図４に示されるように、前記中央溝部１１及び両側溝部１３には、各溝部の底部に沿って間隔をあけて多数の開孔１４、１４…を設けるのが好ましい。前記開孔１４は、各溝部の幅方向中央部に溝長手方向に沿って１列で設けるのが好ましい。前記開孔１４を設けることによって、この開孔１４を通って体液が表面シート３を下層側に素早く通過でき、各溝部１１、１３に沿って流れる体液の吸収性が向上できる。
【００５２】
前記開孔１４の平面形状は任意であるが、図７に示されるように、溝長手方向に沿って縦長の楕円形に形成するのが好ましい。これによって、溝長手方向に沿って流れる体液が開孔１４に入り込みやすくなるとともに、溝長手方向に沿った体液の流れが生じやすくなる。
【００５３】
前記開孔１４の大きさは、軟便に含まれる固形物が通過可能な程度の大きさが好ましく、具体的には３〜１０ｍｍ２とするのがよい。
【００５４】
前記開孔１４は、図７に示されるように、各溝部が延びる方向に沿って隣り合う開孔同士の間隔Ｓ１より、隣り合う溝部間の開孔同士の間隔Ｓ２の方が大きくなるように形成するのが好ましい。すなわち、各溝部に沿って隣り合う開孔同士の間隔Ｓ１が各領域におけるピッチＰ１又はＰ２より小さくするのが好ましい。これによって、開孔同士の間隔が小さな溝長手方向に沿って体液が拡散しやすくなり、間隔が大きな隣り合う溝部間に沿った体液の流れが生じ難くなる。
【００５５】
前記開孔１４は、前記両側溝部１３に形成された開孔１４より、前記中央溝部１１に形成された開孔１４の方が大きな面積で形成するのが好ましい。これによって、前記両側溝部１３を拡散して幅方向中央領域２０に集約された体液が、表面に溜まることなく、中央溝部１１に形成された相対的に大きな面積の開孔１４を通って下層側に移行しやすくなる。中央溝部１１に形成された開孔１４の面積Ａ１と、両側溝部１３に形成された開孔１４の面積Ａ２との比Ａ１／Ａ２は、１．２〜３．０、好ましくは１．５〜２．０とするのがよい。
【００５６】
本使い捨てパッド１では、前記表面シート３の非肌側に隣接して、前記表面シート３と吸収体４との間にセカンドシート７を設けることができる。前記セカンドシート７の平面形状は、前記表面シート３とほぼ同じ形状で形成されている。前記セカンドシート７としては、例えば、有孔または無孔の不織布や穴あきプラスチックシートなどを用いることができる。不織布を構成する繊維素材としては、ポリエチレンやポリプロピレンなどのオレフィン系、ポリエステル系、アミド系などの合成繊維のほか、レーヨンやキュプラなどの再生繊維、綿などの天然繊維を用いることができる。前記セカンドシート７は、１枚の不織布で構成してもよいし、複数枚の不織布を積層して構成してもよい。また、前記セカンドシート７としては、前記表面シート３と同様に、前述の畝溝構造を形成しやすくするため、伸縮性不織布を用いるのが好ましい。
【００５７】
前記セカンドシート７は、図８に示されるように、前記表面シート３とともに畝溝状に形成するのが好ましい。つまり、表面シート３とセカンドシート７を積層した状態で、表面シート３及びセカンドシート７に一体的に凹凸加工を施すことによって、表面シート３とセカンドシート７との間に空間部が形成されることなく、表面シート３の畝溝形状に沿ってセカンドシート７が畝溝状に形成されるようにするのが好ましい。表面シート３の非肌側にセカンドシート７を配設し、このセカンドシート７を表面シート３とともに畝溝状に形成することによって、表面シート３の凹凸形状がしっかりと保形できるようになるとともに、表面シート３を透過した体液を非肌側に移行させやすくなり、更に吸収体４に吸収された体液が肌側に逆戻りしにくくなる。
【００５８】
前記セカンドシート７は、肌側から非肌側に向かうに従って繊維密度が高くなるように形成するのが好ましい。前記セカンドシート７の厚み方向の繊維密度を、肌側から非肌側に向かうに従って高くすることによって、液体中に固形物が混入している軟便などがセカンドシート７を肌側から非肌側に通過する過程で、繊維密度が徐々に高くなる繊維間を通過する際に、固形物と水分が分離でき、セカンドシート７に固形物を捕捉し、吸収体４に水分を吸収することができるようになる。セカンドシート７の繊維密度を変化させるには、１枚の不織布で肌側から非肌側に向けて繊維密度が徐々に高くなるように構成してもよいし、繊維密度の低い不織布と繊維密度の高い不織布を積層して構成してもよい。
【００５９】
前記セカンドシート７に、上述のような軟便などの固形物と水分とを分離する作用を持たせた場合、前記セカンドシート７には、表面シート３に施したような開孔１４を設けないのが好ましい。仮に、セカンドシート７に開孔を形成した場合には、この開孔を通じて固形物が通過しやすくなり、セカンドシート７で固形物を捕捉する機能が低下するおそれがある。
【００６０】
一方、前記セカンドシート７は、前記表面シート３とともに畝溝状に形成せずに、図９に示されるように、平坦な不織布シートで構成してもよい。これによって、前記表面シート３が畝溝状に形成された部分において、表面シート３の溝部の底部が前記セカンドシート７に接合されるとともに、表面シート３の畝部では、表面シート３とセカンドシート７との間に空間部が形成されるようになる。
【００６１】
次に、前記使い捨てパッド１の製造方法のうち、表面シート３を畝溝状に形成する方法について説明する。それ以外の製造方法は、通常の使い捨てパッドの製造方法と同様である。前記表面シート３は、図１０に示されるように、前記開孔１４に対応する多数のピンが周面に設けられたピンロール３０と、このピンに対応する凹部が周面に設けられた凹ロール３１との間を通過させることにより、開孔１４を施した後、必要に応じて非肌側にセカンドシート７を積層した状態で、前記中央畝部１０及び両側畝部１２に対応する凹部並びに前記中央溝部１１及び両側溝部１３に対応する凸部が周面に形成された第１ロール３２と、前記第１ロール３２の凹部及び凸部に対応して凸部及び凹部が周面に形成された第２ロール３３との間を通過させることにより、畝溝状に形成される。
【００６２】
前記表面シート３及びセカンドシート７に一体的に開孔１４を施す場合には、予め表面シート３の非肌側にセカンドシート７を接合しておき、この表面シート３とセカンドシート７の接合体を前記ピンロール３０と凹ロール３１との間を通過させればよい。また、平坦な不織布からなるセカンドシート７を表面シート３の非肌側に積層する場合、前記第１ロール３２と第２ロール３３との間を通過させる前にセカンドシート７を積層するのではなく、表面シート３を単体で前記第１ロール３２と第２ロール３３の間を通過させた後にセカンドシート７を積層すればよい。
【符号の説明】
【００６３】
１…使い捨てパッド、２…防漏シート、３…表面シート、４…吸収体、５…外装シート、６…ギャザーシート、７…セカンドシート、８…被包シート、９…糸状弾性伸縮部材、１０…中央畝部、１１…中央溝部、１２…両側畝部、１３…両側溝部、１４…開孔、２０…幅方向中央領域、２１…両側領域
【図１】
2020031898.tif 000003
【図２】
2020031898.tif 000004
【図３】
2020031898.tif 000005
【図４】
2020031898.tif 000006
【図５】
2020031898.tif 000007
【図６】
2020031898.tif 000008
【図７】
2020031898.tif 000009
【図８】
2020031898.tif 000010
【図９】
2020031898.tif 000011
【図１０】
2020031898.tif 000012